(57)【要約】 【課題】  対象物にセンサなどを組み込むことなく、点光源を点灯させる制御情報の取得を実現するとともに、その対象物の設置場所や遠隔地での異常発生の報知などを可能にすることにより、異常発生時に迅速に対処できるようにする情報取得装置を提供すること。【解決手段】  外部装置１００の表示パネル１０１のＬＥＤ１０２を点灯させる制御情報を取得する情報取得装置であって、ＬＥＤに端面を対面させる状態に支持される光ファイバＦと、この光ファイバにより導光されたＬＥＤの点灯光を電気信号に変換する光電変換素子を内装するインターフェース部と、を備える。このＬＥＤの点灯時に警報を発するようにそのインターフェース部に制御部を介して表示部や音声部を接続する。【選択図】      図２
2006343424.tif 000002
【特許請求の範囲】
【請求項１】
点光源を備える外部装置に取り付けられて、該点光源の点灯を制御する当該外部装置における制御情報を取得する情報取得装置であって、
点光源に一端側の端面を対面させる状態に支持される光ファイバと、該光ファイバの他端側の端面まで導光された点光源の点灯光を受け取って電気信号に変換する光電変換素子と、を備えることを特徴とする情報取得装置。
【請求項２】
前記点光源の配設された外部装置に取り付ける取付部と、該取付部に支持されて光ファイバの一端側端面を点光源の発光方向に位置するように保持する保持部と、を備えることを特徴とする請求項１に記載の情報取得装置。
【請求項３】
前記取付部は、磁石が固設されて、該磁石の磁力により外部装置の点光源を配設されている部位に取り付けられることを特徴とする請求項２に記載の情報取得装置。
【請求項４】
前記保持部は、保持する光ファイバの一端側の端面が点光源に近接または離隔する方向に移動可能に取付部に支持されていることを特徴とする請求項２または３に記載の情報取得装置。
【請求項５】
前記保持部は、端部から露出させる状態に光ファイバを挿入して保持するパイプ部材を備えることを特徴とする請求項２から４のいずれかに記載の情報取得装置。
【請求項６】
前記パイプ部材は、塑性変形可能な材料により作製されていることを特徴とする請求項５に記載の情報取得装置。
【請求項７】
前記取付部は、挿入した光ファイバの一端側端面を点光源に対して位置決めするように、パイプ部材を差し込んで固定する差込穴が二本以上形成されていることを特徴とする請求項５または６に記載の情報取得装置。
【請求項８】
前記光電変換素子により変換された電気信号を出力する出力部を備えることを特徴とする請求項１から７のいずれかに記載の情報取得装置。
【請求項９】
前記出力部からの電気信号を受け取って警報情報を表示出力または音声出力して報知する報知部を備えることを特徴とする請求項８に記載の情報取得装置。
【発明の詳細な説明】
【技術分野】
【０００１】
本発明は、情報取得装置に関し、詳しくは、点光源を点灯させる制御情報を、その点光源の回路内に組み込むことなく取得することのできるものに関する。
【背景技術】
【０００２】
従来より、故障等の異常が発生するなど、定常状態から外れたか否かをチェック（検出）するためには、その情報を取得するためのセンサなどをその監視対象に組み込むことが行われている。例えば、異常を検出した場合に、自機の表示部にエラー発生をＬＥＤ（発光ダイオード）の点滅により表示して報知する機能を設けることが行われている（例えば、特許文献１参照）。
【特許文献１】特開２００３−２４３１９１号公報
【発明の開示】
【発明が解決しようとする課題】
【０００３】
しかしながら、このような従来の情報取得装置にあっては、異常発生などを検出するセンサと共に、異常発生時にエラー表示するＬＥＤやその制御盤などを監視対象の機器に備えさせなければならない。このため、汎用品の機器を用いる場合には、ＬＥＤや制御盤などを、その汎用品の制御回路などに追加しなければならず、その組み込みも困難である。
【０００４】
また、この監視対象の機器の設置場所でオペレータが作業している場合には、エラー表示により異常発生を認識して対処することができるが、管理センターで集中管理する場合には、その異常発生信号を外部の装置などに出力する機能をも追加しなければならず、その組み込みも困難である。
【０００５】
そこで、本発明は、対象物にセンサなどを組み込むことなく、点光源を点灯させる制御情報の取得を実現するとともに、その対象物の設置場所や遠隔地での異常発生の報知などを可能にすることにより、異常発生時に迅速に対処できるようにする情報取得装置を提供することを目的とする。
【課題を解決するための手段】
【０００６】
上記課題を解決する情報取得装置の第１の発明は、点光源を備える外部装置に取り付けられて、該点光源の点灯を制御する当該外部装置における制御情報を取得する情報取得装置であって、点光源に一端側の端面を対面させる状態に支持される光ファイバと、該光ファイバの他端側の端面まで導光された点光源の点灯光を受け取って電気信号に変換する光電変換素子と、を備えることを特徴とするものである。
【０００７】
この発明では、外部装置の表示盤などに配設される点光源の点灯光が、端面を対面させた光ファイバ内に導光されて光電変換されることにより、その外部装置が点光源を点灯・消灯させる制御情報を電気信号として取得することができる。したがって、外部装置を改造することなく、その点光源を点灯／点滅／消灯などする制御信号を取得することができる。
【０００８】
上記課題を解決する情報取得装置の第２の発明は、上記第１の発明の特定事項に加え、前記点光源の配設された外部装置に取り付ける取付部と、該取付部に支持されて光ファイバの一端側端面を点光源の発光方向に位置するように保持する保持部と、を備えることを特徴とするものである。
【０００９】
この発明では、外部装置の表示盤などに取り付けた取付部に、その点光源の発光方向に端面が対面するように光ファイバを保持することができる。したがって、例えば、都度、強力なテープにより外部装置の表示盤などに姿勢を安定させて光ファイバを固定する作業で苦労することなく、点光源の点灯光を導光可能に、光ファイバを安定した姿勢で外部装置に取り付けることができる。
【００１０】
上記課題を解決する情報取得装置の第３の発明は、上記第２の発明の特定事項に加え、前記取付部は、磁石が固設されて、該磁石の磁力により外部装置の点光源を配設されている部位に取り付けられることを特徴とするものである。
【００１１】
この発明では、外部装置の表示盤などに、磁石の磁力により取付部を固定することができる。したがって、取付部を外部装置の表示盤などに容易に、また、繰り返し着脱することができ、その表示盤などの点光源の発光方向に端面を対面させる光ファイバを容易に着脱することができる。
【００１２】
上記課題を解決する情報取得装置の第４の発明は、上記第２または第３の発明の特定事項に加え、前記保持部は、保持する光ファイバの一端側の端面が点光源に近接または離隔する方向に移動可能に取付部に支持されていることを特徴とするものである。
【００１３】
この発明では、外部装置の表示盤などに取り付けた取付部に対して、例えば、光ファイバを保持する保持部を相対的に回動したりスライドなどさせることにより、その表示盤などの点光源の発光方向に対面する光ファイバの端面を接近または離隔させることができる。したがって、取付部を外部装置から外して再度取り付けるために、光ファイバの端面を点光源に対面させるように調整する作業を行うことなく、点光源の発光方向が光ファイバの端面となるように（点灯光を導光可能に）、あるいは、その点光源の発光方向を開放してその点灯光を視認可能にすることができる。
【００１４】
上記課題を解決する情報取得装置の第５の発明は、上記第２から第４のいずれかの発明の特定事項に加え、前記保持部は、端部から露出させる状態に光ファイバを挿入して保持するパイプ部材を備えることを特徴とするものである。
【００１５】
この発明では、外部装置の表示盤などに取り付ける取付部に支持されたパイプ部材に、光ファイバを挿入して端部が露出する状態にすることにより、その点光源の点灯光を導光可能に光ファイバの端面を対面させることができる。したがって、強力なテープにより姿勢を安定させて取付部に光ファイバを固定する作業で苦労することなく、パイプ部材内に挿入した光ファイバの先端部の全体を保持することができ、その光ファイバを安定した姿勢で取り付けてその端面を点光源に対面させることができる。
【００１６】
上記課題を解決する情報取得装置の第６の発明は、上記第５の発明の特定事項に加え、前記パイプ部材は、塑性変形可能な材料により作製されていることを特徴とするものである。
【００１７】
この発明では、外部装置の表示盤などに配設された点光源に光ファイバの端面が対面するように、パイプ部材を屈曲させるなど変形させて調整することができる。したがって、大まかに光ファイバを位置決めした後に、パイプ部材とともにその光ファイバを屈曲などさせて容易に点光源に対面する状態に微調整することができる。
【００１８】
上記課題を解決する情報取得装置の第７の発明は、上記第５または第６のいずれかの発明の特定事項に加え、前記取付部は、挿入した光ファイバの一端側端面を点光源に対して位置決めするように、パイプ部材を差し込んで固定する差込穴が二本以上形成されていることを特徴とするものである。
【００１９】
この発明では、光ファイバを挿入したパイプ部材を所望の本数分だけ取付部の差込穴内にそれぞれ差し込むことにより外部装置の表示盤などに対して安定した姿勢で取り付けることができる。したがって、複数本の光ファイバを点光源に端面が対面するように容易に取り付けることができる。
【００２０】
上記課題を解決する情報取得装置の第８の発明は、上記第１から第７のいずれかの発明の特定事項に加え、前記光電変換素子により変換された電気信号を出力する出力部を備えることを特徴とするものである。
【００２１】
この発明では、外部装置の点光源を点灯等させる制御情報として取得した制御信号を、他の外部装置に出力することができる。したがって、外部装置の点光源の制御信号を、その外部装置を改造することなく、他の外部装置に知らせることができる。
【００２２】
上記課題を解決する情報取得装置の第９の発明は、上記第８の発明の特定事項に加え、前記出力部からの電気信号を受け取って警報情報を表示出力または音声出力して報知する報知部を備えることを特徴とするものである。
【００２３】
この発明では、外部装置の点光源の制御信号を受け取って警報情報として他の外部装置などから表示出力または音声出力することができ、その外部装置の管理者などに報知することができる。したがって、装置異常の発生時などに点灯等する点光源を備える外部装置を監視対象として、その点光源の点灯等から制御信号を取得して、警報装置を特別に組み込む改造等を行うことなく、装置異常を報知することができる。
【発明の効果】
【００２４】
このように本発明によれば、外部装置の点光源の制御回路などに接続することなく、その点光源に光ファイバの端面を対面させて、その点灯光を光ファイバ内に導光して光電変換することにより、その外部装置の点光源を点灯・消灯させる制御情報を電気信号として取得することができ、その外部装置を改造することなく、その点光源の点灯／点滅／消灯などに応じて外装装置の異常発生などの所望の情報を取得することができる。したがって、その外部装置の設置場所や遠隔地において、点光源の点灯などよりも積極的に装置異常の発生などを報知などする機能を追加することができ、異常状態などの発生を迅速に把握して対処可能にすることができる。
【発明を実施するための最良の形態】
【００２５】
以下、本発明の最良の実施形態を図面に基づいて説明する。図１および図２は本発明に係る情報取得装置の第１実施形態の一例である警報装置を示す図である。
【００２６】
図１において、警報装置は、監視対象の外部装置にセンサ組立品２１を取り付けてその監視対象における制御情報を取り込むセンサ部１１と、このセンサ部１１から送られてくるセンサ情報（検出情報）を下流側で利用可能に処理して装置本体１０側に送出するインターフェース部１２と、このインターフェース部１２により中継処理されたセンサ情報に基づいて警報の要否を判断して表示出力したり音声出力する警報情報を作成して出力する作成出力制御を実行する制御部１３と、この制御部１３からの警報情報を受け取って表示出力する表示部１４と、制御部１３からの警報情報を受け取って音声出力する音声部１５と、を備えている。
【００２７】
これら装置各部は、装置本体１０内に制御部１３、表示部１４および音声部１５を組み込んで、内蔵する不図示のバッテリ（商用電源でもよい）からの電力供給により動作するように構築されており、インターフェース部１２以降の装置各部１３〜１５の間は、電気信号のやり取りや駆動電力を受け取り可能に電線Ｌを介して有線接続されている。例えば、センサ部１１とインターフェース部１２を監視対象付近に設置するとともにその監視対象から遠隔する管理センター内に装置本体１０を設置することができる。なお、センサ部１１は、複数のセンサ組立品２１のそれぞれを離隔する監視対象に取付・設置して利用するようにしてもよく、また、警報機能を備えていない装置を監視するために、センサ部１１とインターフェース部１２と共に装置本体１０をその装置付近に設置して警報を発することができるようにしてもよいことはいうまでもない。
【００２８】
ここで、制御部１３は、点検ボタン１６が接続されており、この点検ボタン１６が押下されたときに、装置本体１０にセットされているバッテリの残量をチェックして十分に蓄電されている場合には、例えば、表示部１４のＬＥＤ（発光ダイオード）を点灯させるとともに、後述する警報情報を表示部１４や音声部１５からテスト出力する。
【００２９】
センサ部１１のセンサ組立品２１は、図２に示すように、外部装置１００の表示パネル１０１などに配置されているＬＥＤ（点光源）１０２などに、先端部の端面（導光面）を対面させるように設置する光ファイバＦを、そのＬＥＤ１０２に対する姿勢を保持しつつ支持することのできる取付具２３に組み付けることにより、監視対象の外部装置１００などに取り付け可能に構築されている。このセンサ組立品２１は、１または２以上のセットを準備して、それぞれの光ファイバＦをインターフェース部１２に接続することにより、その光ファイバＦに入力（導光）される光の強度により監視対象の外部装置１００における異常発生などの有無を監視可能に設計されている。
【００３０】
具体的には、このセンサ組立品２１の取付具２３は、光ファイバＦを挿入可能な径を有して湾曲形状に形成されているとともにさらに屈曲（塑性変形）させることのできる、例えば、アルミニウム製のパイプ部材２４と、監視対象の外部装置１００の表示パネル１０１に不図示の内蔵する磁石の磁力により取り付けて位置決め固定することのできる取付部２５と、この取付部２５の上部から突出してパイプ部材２４に沿うように湾曲するフック形状に形成された棒状のフック部２６と、このフック部２６にパイプ部材２４を沿う状態で固設する熱収縮チューブ（テープでも良い）２７と、を組み立てることにより作製されている。ここで、ＬＥＤ１０２に端面を対面させる光ファイバＦの先端部は、そのＬＥＤ１０２の点灯光を視認し難くなってしまうことがないように、外被を剥がした光ファイバ本体（コア部とクラッド部）ｆを露出させている。
【００３１】
これにより、外部装置１００のＬＥＤ１０２を配設されている表示パネル１０１に光ファイバＦを固定するときには、例えば、強力なテープを用い場合には着脱する度に光ファイバＦの姿勢を決めて調整などする作業を行う必要があるが、このセンサ組立品２１では取付部２５の磁石により容易に繰り返し表示パネル１０１に着脱することができるとともに、この取付部２５にフック部２６を介して連結されたパイプ部材２４内に光ファイバＦの先端部を挿入してその全体を保持させることができ、その先端部の端面を表示パネル１０１のＬＥＤ１０２に対面させる姿勢に保持しつつ支持することができる。また、このパイプ部材２４は屈曲させることができ、内装する光ファイバＦと共に、その端面がＬＥＤ１０２の発光方向に鉛直に対面するように、言い換えると、ＬＥＤ１０２の点灯光を効率よく光ファイバＦ内に導光することができるように、屈曲させて容易に調整することができる。すなわち、フック部２６にパイプ部材２４を連結させて保持部が構成されている。なお、外部装置１００の表示パネル１０１が磁石を吸着固定することのできない非磁性材料である場合には、両面テープにより接着固定すれば良い。
【００３２】
そして、例えば、外部装置１００に何らかの異常が発生したときにＬＥＤ１０２が点灯（点滅でも良い）する場合には、そのＬＥＤ１０２の点灯光を光ファイバＦ内に導光してインターフェース部１２に受け渡すことができ、その外部装置１００での異常発生を外部に引き出して取得することができる。
【００３３】
インターフェース部１２は、光ファイバＦが導光するＬＥＤ１０２の点灯光を光電変換する光電変換素子をその光ファイバＦ毎に対応するように配設されており、外部装置でＬＥＤ１０２を点灯させる制御情報を光電変換して電気信号として取得することができ、その光電変換した制御信号を制御部１３に受け渡す。すなわち、インターフェース部１２が入力部、生成部および出力部を構成している。
【００３４】
これにより、例えば、外部装置１００に何らかの異常が発生して停止動作を行うと共にその異常停止を示すＬＥＤ１０２を点灯する制御が行われた場合には、その外部装置１００に何らの改造をしていない状態で、その外部装置１００自体のＬＥＤ１０２の点灯光を光ファイバＦを介して取得して光電変換することにより、その外部装置１００での異常停止情報（制御情報）を電気信号に変換・取得することができ、その制御信号を制御部１３に出力することができる。
【００３５】
制御部１３は、インターフェース部１２から送られてくる制御信号（漏れ電圧と区別可能な予め設定されている閾値以上の電圧信号）を受け取ったときに、外部装置１００での異常発生と判断して報知する警報情報を表示部１４と音声部１５にそれぞれ出力するように設計されている。この警報情報としては、表示部１４や音声部１５の備える機能に応じて出力可能な情報を受け渡す。すなわち、制御部１３、表示部１４および音声部１５が報知部を構成している。
【００３６】
表示部１４は、例えば、発光ダイオード（ＬＥＤ）からなる点光源や液晶表示器（ＬＣＤ）を備える場合には、制御部１３から点灯信号を受け取って監視対象の外部装置１００の異常発生を表示出力する点光源を点灯することにより警報を視覚により認識可能に報知することができ、また、表示パネル１０１にセンサ組立品２１を取り付けた監視対象の外部装置１００に関する情報などを含むメッセージ情報を生成して（予め準備しておいても良い）液晶表示器に表示出力することによりその旨を報知することができる。
【００３７】
音声部１５は、例えば、ブザー（ＢＺ）やスピーカを備える場合には、制御部１３から鳴動信号を受け取って監視対象の外部装置１００の異常発生を音声出力するブザーを鳴らすことにより警報を聴覚により認識可能に報知することができ、また、表示パネル１０１にセンサ組立品２１を取り付けた外部装置１００に関する情報などを含むメッセージ情報を生成して（予め準備しておいても良い）スピーカから音声出力することによりその旨を報知することができる。
【００３８】
これにより、センサ部１１のいずれかのセンサ組立品２１（光ファイバＦ）がＬＥＤ１０２の点灯光を導光してインターフェース部１２で光電変換することにより、外部装置１００での異常発生による制御信号を取得したときに、遠隔地の管理センターに設置されている表示部１４からの表示出力や音声部１５からの音声出力によりその外部装置１００での異常発生を管理者に報知することができる。
【００３９】
このように本実施形態においては、外部装置１００の制御回路などを改造することなく、その異常発生時に点灯させるＬＥＤ１０２に光ファイバＦの端面を対面させてその点灯光を光電変換することにより、そのＬＥＤ１０２を点灯させる制御信号を外部に取り出して取得することができ、その制御信号により外部装置１００にＬＥＤ１０２を点灯させる必要が生じたことを、言い換えると、外部装置１００に異常が発生したことを報知する警報を表示部１４や音声部１５から出力することができる。したがって、その外部装置１００の異常発生を遠隔地の管理センターなどに報知する機能を改造などすることなく追加することができ、異常状態などの発生を迅速に把握して対処可能にすることができる。
【００４０】
次に、図３は本発明に係る情報取得装置の第２実施形態の一例である警報装置を示す図である。なお、本実施形態では、上述実施形態と略同様に構成されているので、同様の構成には同一の符号を付して特徴部分を説明する（以下で説明する他の実施形態においても同様）。
【００４１】
図３において、警報装置は、センサ部１１、インターフェース部１２、制御部１３、表示部１４、音声部１５、および、点検ボタン１６を備えて構築されており、本実施形態のセンサ部１１のセンサ組立品４１は、取付部２５の中央部から突出してパイプ部材２４に沿うように湾曲するフック形状に形成された棒状のフック部４６が、その取付部２５に対して中央部を中心に上下方向に回動（移動）可能に支持されることにより取付具４３が構成されている。なお、図３には、熱収縮チューブ２７により固設されたパイプ部材２４に挿通する光ファイバＦの先端側と、フック部４６の先端側とが、同一の向きになるようにセンサ組立品４１を組み立てる場合を一例に図示するが、逆向きに光ファイバＦを挿通して支持させるようにしても利用することができることは言うまでもない。
【００４２】
これにより、光ファイバＦの先端部によりＬＥＤ１０２が見難いために、その点灯の有無を確認したい場合には、光ファイバＦをフック部４６と共に回動させてその先端部の端面をＬＥＤ１０２から離隔させることができ、その発光方向を必要に応じて開放して容易に視認可能にすることができる。なお、この場合には、ＬＥＤ１０２の発光方向を開放することができるので、光ファイバＦの先端部の外被を剥がさない構成にしてもよい。
【００４３】
このように本実施形態においては、上述実施形態による作用効果に加えて、メンテナンス時などにＬＥＤ１０２の点灯光を確認するために、光ファイバＦの先端部の端面をそのＬＥＤ１０２から離隔させたい場合に、ずれないように強力に固定した取付部２５を表示パネル１０１から力ずくで外すことなく、フック部４６を回動させるだけでＬＥＤ１０２の発光方向を大きく開放することができる。また、そのメンテナンス作業の終了後には、そのフック部４６を元に戻すように回動させるだけでＬＥＤ１０２に光ファイバＦの端面を対面させて制御情報を取得可能に復帰させることができる。したがって、監視対象の外部装置１００における作業の妨げになってしまうことを防止することができ、この警報装置の導入の障害になってしまうことを回避することができる。
【００４４】
次に、図４は本発明に係る情報取得装置の第３実施形態の一例である警報装置を示す図である。
【００４５】
図４において、警報装置は、センサ部１１、インターフェース部１２、制御部１３、表示部１４、音声部１５、および、点検ボタン１６を備えて構築されており、本実施形態のセンサ部１１のセンサ組立品５１は、監視対象の外部装置１００の表示パネル１０１に、磁石や両面テープにより取り付け可能な透明のカバー部材５３に光ファイバＦを挿入するパイプ部材２４を支持させるように構成されている。すなわち、このカバー部材５３が取付部と保持部を備える取付具を構成している。
【００４６】
具体的には、センサ組立品５１のカバー部材５３は、外部装置１００の表示パネル１０１に対面する透明の対面部材５４が内部に設けられており、この対面部材５４と、外装部分で表示パネル１０１に対面する外装対面部５３ａとに、パイプ部材２４を差し込んで支持させる差込穴５５が複数箇所に形成されている。この差込穴５５は、表示パネル１０１におけるＬＥＤ１０２の配置に合わせて開口されている。このカバー部材５３の差込穴５５からパイプ部材２４が抜けて脱落する場合には、例えば、ホットボンドにより外装部分などに接着固定すればよい。
【００４７】
これにより、監視対象の外部装置１００の表示パネル１０１に、点灯光（制御信号）を取得するＬＥＤ１０２が隣接している場合には、カバー部材５３の対面部材５４と外装対面部５３ａに、そのＬＥＤ１０２の配置に合わせて差込穴５５を形成することにより、複数本のパイプ部材２４を表示パネル１０１に対して鉛直方向に差し込んで２箇所で支持させることができ、そのパイプ部材２４に光ファイバＦを挿入することによりそのＬＥＤ１０２に先端部の端面が対面する姿勢でそれぞれ保持することができる。
【００４８】
このように本実施形態においては、上述実施形態による作用効果に加えて、複数本の光ファイバＦ毎にセンサ組立品を準備することなく（大量の磁石を表示パネル１０１に固定することなく）、複数本の光ファイバＦを一つのカバー部材５３によりそれぞれのＬＥＤ１０２に端面を対面させる状態に位置決めして支持することができる。
【００４９】
次に、図５は本発明に係る情報取得装置の第４実施形態の一例である警報装置を示す図である。
【００５０】
図５において、警報装置は、センサ部１１、インターフェース部１２、制御部１３、表示部１４、音声部１５、および、点検ボタン１６を備えて構築されており、本実施形態のセンサ部１１のセンサ組立品６１は、監視対象の外部装置１００の表示パネル１０１に、磁石や両面テープにより取り付け可能な透明のカバー部材６３に光ファイバＦを挿入するパイプ部材２４を支持させるように構成されている。すなわち、このカバー部材５３が取付部と保持部を備える取付具を構成している。
【００５１】
具体的には、センサ組立品６１のカバー部材６３は、外装部分で表示パネル１０１に対して略鉛直姿勢となる外装側面部６３ａに、パイプ部材２４を差し込んで支持させる差込穴６５が複数箇所に形成されている。この差込穴６５は、汎用性を持たせるために、予め所定の位置（例えば、均等間隔）に開口されている。なお、この差込穴６５は、使用時にＬＥＤ１０２の配置位置に合わせて形成しても良いことは言うまでもない。
【００５２】
これにより、監視対象の外部装置１００の表示パネル１０１に、点灯光（制御信号）を取得するＬＥＤ１０２が隣接している場合には、カバー部材６３の外装側面部６３ａに開口する差込穴６５に、複数本のパイプ部材２４を表示パネル１０１に対して平行に差し込んで２箇所で支持させることができ、そのパイプ部材２４に光ファイバＦを挿入することにより安定した姿勢でそれぞれ保持することができる。この光ファイバＦは、パイプ部材２４の先端側を表示パネル１０１のＬＥＤ１０２の配置位置に合わせて屈曲させることにより、先端部の端面をそのＬＥＤ１０２に対面させることができる。
【００５３】
このように本実施形態においては、上述実施形態による作用効果に加えて、複数本の光ファイバＦを予め準備したカバー部材６３によりそれぞれのＬＥＤ１０２に端面を対面させる状態に位置決めして支持させることができる。
【産業上の利用可能性】
【００５４】
これまで本発明の一実施形態について説明したが、本発明は上述の実施形態に限定されず、その技術的思想の範囲内において種々異なる形態にて実施されてよいことは言うまでもない。
【図面の簡単な説明】
【００５５】
【図１】本発明に係る情報取得装置の第１実施形態の一例である警報装置を示す図であり、その概略全体構成を示す関係ブロック図である。
【図２】その光ファイバの取付構造を示す斜視図である。
【図３】本発明に係る情報取得装置の第２実施形態の一例である警報装置を示す図であり、（ａ）はその光ファイバの取付構造を示す斜視図、（ｂ）はその回動を説明する斜視図である。
【図４】本発明に係る情報取得装置の第３実施形態の一例である警報装置を示す図であり、その光ファイバの取付構造を示す斜視図である。
【図５】本発明に係る情報取得装置の第４実施形態の一例である警報装置を示す図であり、その光ファイバの取付構造を示す斜視図である。
【符号の説明】
【００５６】
１１……センサ部    １２……インターフェース部    １３……制御部    １４……表示部    １５……音声部    １６……点検ボタン    ２１、４１、５１、６１……センサ組立品    ２３、４３……取付具    ２４……パイプ部材    ２５……取付部    ２６、４６……フック部    ２７……熱収縮チューブ    ５３、６３……カバー部材    ５３ａ……外装対面部    ５４……対面部材    ５５、６５……差込穴    ６３ａ……外装側面部    １００……外部装置    １０１……表示パネル    １０２……ＬＥＤ    Ｆ……光ファイバ    ｆ……光ファイバ本体    Ｌ……電線
【図１】
2006343424.tif 000003
【図２】
2006343424.tif 000004
【図３】
2006343424.tif 000005
【図４】
2006343424.tif 000006
【図５】
2006343424.tif 000007